(57)【特許請求の範囲】
【請求項１】
端面から入射される光を前方に導く複数の導光板と、所定の表示領域を有する表示器と、を備える遊技機において、
前記複数の導光板は、
前記表示領域の少なくとも一部を覆うように前記表示器の前方に配置されるとともに、
前後に重なることなく、平面状に並べて配置され、
前記端面から入射される光は、それぞれ異なる色の複数の発光素子を所定の位置関係を有するように配置した状態で内蔵する発光手段から照射される光であり、
前記端面の板厚方向中心部分は、各発光素子の前記所定の位置関係から特定されるこれらの中心部分に対応する位置に配置される
ことを特徴とする遊技機。
【請求項２】
前記複数の導光板それぞれに対応する位置に、前記表示器から照射される光に所定の装飾効果を付与する装飾シートを設け、
前記装飾シートは、前記複数の導光板それぞれに対応する位置ごとに異なる装飾効果を付与する
ことを特徴とする請求項１記載の遊技機。
【請求項３】
前記複数の導光板の間には、一の導光板に対応する光が隣接する他の導光板に伝播することを抑制するように所定方向に突出するように形成される遮蔽部と、当該遮蔽部よりも前記所定方向に突出する量が少ないことで前記遮蔽部が形成されない非遮蔽部と、を備える区画部が設けられ、
前記非遮蔽部は、前記遮蔽部の一側寄りに配置される
ことを特徴とする請求項１又は２記載の遊技機。
【請求項４】
前記遮蔽部は、前記端面側を始端部として、前記端面から入射される光の入射方向に沿って延設され、
前記非遮蔽部は、前記遮蔽部の終端部側に配置される
ことを特徴とする請求項３記載の遊技機。
【請求項５】
前記遮蔽部の始端部と、前記非遮蔽部とをそれぞれ覆う装飾部材を備え、
各装飾部材は、前記遮蔽部と直交する線を挟んで線対称な形状を有する
ことを特徴とする請求項４記載の遊技機。
【請求項６】
前記発光手段は、一の基板上において複数設けられるとともに、各発光手段の有する入電用端子部が対向するように配置される
ことを特徴とする請求項１〜５のいずれか一項に記載の遊技機。
【請求項７】
前記複数の導光板と、前記表示器と、前記端面から入射される光を照射する発光手段を備える基板と、を収容する収容部材を備え、
前記基板は、前記導光板に対して直交配置され、
前記収容部材は、前記基板の前後方向における端部を外部に露出可能な切欠部を備える
ことを特徴とする請求項１〜６のいずれか一項に記載の遊技機。
【発明の詳細な説明】
【技術分野】
【０００１】
本発明は、端面から入射される光を前方に導く複数の導光板と、所定の表示領域を有する表示器と、を備える遊技機に関する。
【背景技術】
【０００２】
端面から入射される光を前方に導く複数の導光板と、所定の表示領域を有する表示器と、を備える遊技機として、パチンコ機やスロットマシンがある。
【０００３】
例えば、特許文献１には、端面から入射されるＬＥＤの光を前方に導く複数の導光板をリールの前方に設けたスロットマシンが提案されている。
【先行技術文献】
【特許文献】
【０００４】
【特許文献１】特開２０００−１４０２０２号公報
【発明の概要】
【発明が解決しようとする課題】
【０００５】
ところが、このような従来の遊技機には、改善の余地があった。
【課題を解決するための手段】
【０００６】
上記課題を解決するため、本発明の遊技機は、端面から入射される光を前方に導く複数の導光板と、所定の表示領域を有する表示器と、を備える遊技機において、前記複数の導光板は、前記表示領域の少なくとも一部を覆うように前記表示器の前方に配置されるとともに、前後に重なることなく、平面状に並べて配置され、前記端面から入射される光は、それぞれ異なる色の複数の発光素子を所定の位置関係を有するように配置した状態で内蔵する発光手段から照射される光であり、前記端面の板厚方向中心部分は、各発光素子の前記所定の位置関係から特定されるこれらの中心部分に対応する位置に配置される構成としてある。
【図面の簡単な説明】
【０００７】
【図１】遊技機の外観を示す概略正面図である。
【図２】遊技機の内部構成を示す概略斜視図である。
【図３】遊技機の制御構成を示すブロック図である。
【図４】表示ユニットの図であり、（ａ）は上面図、（ｂ）は正面図（ただし、装飾シート８４、導光板８５，８７を外した状態の図）、（ｃ）は右側面図、（ｄ）は斜視図である。
【図５】表示ユニット全体の分解斜視図である。
【図６】表示ユニットの一部の分解斜視図である。
【図７】（ａ）導光板用ＬＥＤ基板の正面図、（ｂ）は表示ユニットのＡ−Ａ断面図である。
【図８】遮蔽部と非遮蔽部とを備える区画部の動作原理を説明するための図である。
【発明を実施するための形態】
【０００８】
本発明に係る遊技機の好ましい実施形態について、図１〜図８を参照して説明する。
【０００９】
スロットマシン１は、複数の導光板及び表示器を備える遊技機の一例であり、従来のスロットマシンと同様に、スロットマシン１に備えられた複数のリール４１ａ，４１ｂ，４１ｃを回転させることによって遊技媒体であるメダルを獲得することができる回胴式遊技機を構成している。
【００１０】
具体的には、スロットマシン１は、筐体１ｂと、筐体１ｂ前面側を覆う前扉１ａとから構成されている。
前扉１ａは、図１、図２に示すように、スロットマシン１の筐体１ｂにヒンジ等を介して開閉可能に取り付けられる扉体で、この正面には、遊技者に操作される複数の操作手段などが設けられている。
【００１１】
例えば、操作手段として、機内にメダルを投入するためのメダル投入口２が設けられ、所定数（例えば、３枚）のメダルがメダル投入口２から投入されることで、メダル投入口２と連通するメダルセレクタ２ｂによってメダルが検出され、ゲーム開始可能な状態となる。
【００１２】
また、押下操作可能なベットボタン２ａ（例えば、マックスベットボタン）が設けられ、操作に応じて内部的に記憶したクレジットメダルからデータ形式のメダルをゲームに投入することもできる。
【００１３】
また、リール４１ａ，４１ｂ，４１ｃの回転を始動させるスタートレバー３が設けられ、ゲーム開始可能な状態において遊技者により操作されることで、スロットマシン遊技が開始され、リール４１ａ，４１ｂ，４１ｃが回転を開始する。
【００１４】
また、各リール４１に対応して停止ボタン５ａ，５ｂ，５ｃが設けられており、遊技者により各停止ボタン５が押下操作されることで、回転している各リール４１を停止させることができる。
【００１５】
また、前扉１ａには、操作手段の他にも様々な装置が設けられ、例えば、停止状態にある各リール４１に表された縦方向に連続する３つの図柄が視認可能な表示窓６、メダルが払い出されるメダル払出口７ｂなどが設けられている。
また、所定の画像情報を表示する表示ユニット８、ＬＥＤ等の発光手段を備えるランプ１１が設けられている。
さらに、前扉１ａには、所定の音声を出力するスピーカ９なども設けられている。
【００１６】
一方、筐体１ｂは、筐体構造を有し、スロットマシン遊技に必要な様々な機械、装置などが収納されている。
【００１７】
例えば、リール４１ａ，４１ｂ，４１ｃ、各リール４１を回転させる図示しないステッピングモータ及び回転位置を検出するセンサなどを備えるドラムユニット４が設けられている。
また、メダルの貯留・払い出し行うメダル払出装置７が設けられ、払い出されたメダルはメダル払出口７ｂを介して遊技者に提供される。
また、メダル払出装置７には、メダルを貯留するホッパー７ａが設けられ、メダル投入口２より投入されたメダルがメダルセレクタ２ｂを介してホッパー７ａに誘導される。
【００１８】
また、筐体１ｂには、スタートレバー３、停止ボタン５などの操作手段からの操作信号に基づいて、ドラムユニット４、メダル払出装置７などの各装置を制御することでスロットマシン遊技を実行可能な主制御部１０が設けられている（図３参照）。
主制御部１０は、ＣＰＵなどを備えるコンピュータとして構成され、例えば、ゲーム開始可能な状態において、スタートレバー３に対する操作を検知すると、各リール４１の回転を開始させる。
また、これと同時に、再遊技役、小役、ボーナスなどの当選役を抽選により決定する内部抽選処理を実行し、各リール４１の回転中において、各停止ボタン５に対する押下操作を検知すると、抽選結果に対応した図柄の組合せで停止するよう、回転している各リール４１の停止制御を行う。
また、主制御部１０は、停止した各リール４１に表された縦方向に連続する３つの図柄の組合せを判定し、小役に対応する図柄の組合せでの停止を判定したときには、所定数のメダルを払い出すようにメダル払出装置７を制御する。
【００１９】
また、筐体１ｂには、スロットマシン遊技に同期した演出を実行可能な副制御部２０が設けられている。
副制御部２０は、主制御部１０と同様にＣＰＵなどを備えるコンピュータとして構成され、主制御部１０から送信される制御コマンドに基づいて表示ユニット８、スピーカ９、ランプ１１などの演出出力手段を制御して（図３参照）、スロットマシン遊技に同期した演出を行わせる。例えば、主制御部１０からボーナスの当選を示す制御コマンドを受信すると、表示ユニット８を制御して「７７７」の数字を表示させる。
このような構成を有するスロットマシン１は、図４〜図８に示すように、複数の導光板及び表示器の内蔵された表示ユニット８を備えている。
【００２０】
［表示ユニット］
表示ユニット８は、図１、２に示すように、表示面が前方（遊技者側）を臨むように前扉１ａの裏面側に配置され、スロットマシン遊技に関する所定の画像情報を表示する表示装置として構成されている。
このような表示ユニット８は、複数の部材から構成され、例えば、図５、６に示すように、後方カバー部材８０、装飾シート用ＬＥＤ基板８１、表示領域区画部材８２、導光板用ＬＥＤ基板８３、装飾シート８４、後方側導光板８５（８５ａ〜８５ｃ）、スペーサ８６、前方側導光板８７、装飾フレーム８８、前方カバー部材８９などを備えている。
【００２１】
後方カバー部材８０は、本発明に係る収容部材の一部であり、図６に示す収容部８０１に、部材８１〜８７を収容可能に凹設形成されている。
また、導光板用ＬＥＤ基板８３の後端部８３ｂをユニット外に臨ませるスリット状の切欠部８０２を備えている（図７（ｂ）参照）。
【００２２】
装飾シート用ＬＥＤ基板８１は、図６に示すように、基板本体８１０、ＬＥＤ８１１〜８１５を備えている。ＬＥＤ８１１〜８１５は、例えば、ＲＧＢそれぞれの発光素子の内蔵されたフルカラーＬＥＤからなり、装飾シート８４に向けて光を出射するように基板本体８１０に実装されている。なお、以下の説明において、ＬＥＤ８１１〜８１５とはそれぞれ、図６において、同じ点線内に属する一つ一つのＬＥＤ、又は同じ点線内に属するＬＥＤの集合体のいずれかを意味する。
【００２３】
表示領域区画部材８２は、図６に示すように、それぞれが壁面により囲まれた複数の貫通孔を有し、各貫通孔が、ＬＥＤ８１１〜８１５からの光を装飾シート８４に導くための光路として形成されている。
例えば、貫通孔８２１は、正面視略矩形状に形成され、ＬＥＤ８１１からの光を装飾シート８４（８４ａ）に導くように構成されている。
貫通孔８２５は、貫通孔８２１と同様、正面視略矩形状に形成され、ＬＥＤ８１５からの光を装飾シート８４（８４ｃ）に導くように構成されている。
【００２４】
また、貫通孔８２２は、７つの貫通孔を有している。各貫通孔は、数字の「８」を７つのセグメントに分解したときの各セグメントに対応する形状に開口されるとともに、ＬＥＤ８１２を構成する７つのＬＥＤそれぞれに対応して設けられており、これによりＬＥＤ８１２からの光を装飾シート８４（８４ｂ−Ｌ）に導きながらも、ＬＥＤ８１２を左７セグメントＬＥＤ（以下、左７セグという）として機能させるようになっている。
貫通孔８２３は、貫通孔８２２と同様、７セグメントにおける各セグメントに対応する形状に開口されるとともに、ＬＥＤ８１３を構成する７つのＬＥＤそれぞれに対応して設けられており、これによりＬＥＤ８１３からの光を装飾シート８４（８４ｂ−Ｍ）に導きながらも、ＬＥＤ８１３を中７セグメントＬＥＤ（以下、中７セグという）として機能させるようになっている。
貫通孔８２４は、貫通孔８２２と同様、７セグメントにおける各セグメントに対応する形状に開口されるとともに、ＬＥＤ８１４を構成する７つのＬＥＤそれぞれに対応して設けられており、これによりＬＥＤ８１４からの光を装飾シート８４（８４ｂ−Ｒ）に導きながらも、ＬＥＤ８１４を右７セグメントＬＥＤ（以下、右７セグという）として機能させるようになっている。
【００２５】
また、表示領域区画部材８２は、貫通孔８２１と貫通孔８２２〜８２４との間に、区画部８２６を備え、貫通孔８２２〜８２４と貫通孔８２５との間に、区画部８２７を備えている。
各区画部８２６，８２７は、各貫通孔間を区画するリブ状に形成された遮蔽部８２６ａ，８２７ａと、各貫通孔間を区画しない非遮蔽部８２６ｂ，８２７ｂとから構成されており、これらの動作原理については後述する。
【００２６】
導光板用ＬＥＤ基板８３は、図６、図７（ａ）に示すように、基板本体８３０、ＬＥＤ８３１，８３２を備え、ＬＥＤ８３１，８３２を構成する複数のＬＥＤは平行な二つの直線上に並んで配置されている。なお、以下の説明において、ＬＥＤ８３１，８３２とはそれぞれ、図６又は図７（ａ）において、同じ点線内に属する一つ一つのＬＥＤ、又は同じ点線内に属するＬＥＤの集合体のいずれかを意味する。
導光板用ＬＥＤ基板８３は、図７（ｂ）に示すように、後方側導光板８５、前方側導光板８７に対して直交配置されるとともに、ＬＥＤ８３１及びＬＥＤ８３２が、後方側導光板８５及び前方側導光板８７それぞれの端面に対向配置されている。
このような構成により、ＬＥＤ８３１及びＬＥＤ８３２から出射される光は、後方側導光板８５及び前方側導光板８７それぞれの端面から入射され、後方側導光板８５及び前方側導光板８７内を伝播することになる。
【００２７】
ＬＥＤ８３１とＬＥＤ８３２は、それぞれ独立して点灯（点滅も含む、以下同じ）制御されることが好ましい。また、ＬＥＤ８３１を構成する複数のＬＥＤはそれぞれ独立して点灯制御され、ＬＥＤ８３２を構成する複数のＬＥＤもそれぞれ独立して点灯制御されることが好ましい。
このような好ましい点灯制御を実現しつつも、表示ユニット８全体の奥行（厚み）を薄くするためには、前端部８３ａと後端部８３ｂとで規定される基板本体８３０の幅が狭い方が好ましい。
そこで、ＬＥＤ８３１，８３２は、図７（ａ）に示すように、カソード及びアノードなどの入電用端子８３１ａ，８３２ａ同士がそれぞれ対向するように、基板本体８３０に配置してある。また、ＬＥＤ８３１，８３２は、配線の引き回しが容易なように、図７（ａ）の縦方向において、直線上に並ばないように千鳥状に配置してある。このような構成により、基板本体８３０の幅をなるべく狭くすることができ、表示ユニット８全体の奥行（厚み）を薄くすることができる。これにより、表示ユニット８とこれの後方に位置するリール４１等との干渉が回避される（図２参照）。
【００２８】
また、ＬＥＤ８３１，８３２は、例えば、ＲＧＢそれぞれの発光素子の内蔵されたフルカラーＬＥＤを用いることができる。このような複数の発光素子を内蔵するＬＥＤを用いるときには、後方側導光板８５及び前方側導光板８７それぞれの端面の板厚方向中心部分が、各発光素子の位置関係から特定されるこれらの中心部分に対応する位置に配置されることが好ましい。
例えば、３つの発光素子が図７（ａ）の縦方向に沿ってＲＧＢの順で、等間隔で配置されている場合には、中心にあるＧ発光素子に対応する位置に、端面の板厚方向中心部分が対向するように、導光板８５，８７を配置することが好ましい。
また、３つの発光素子が正三角形の頂点となるように配置される場合には、正三角形の重心に対応する位置に、端面の板厚方向中心部分が対向するように、導光板８５，８７を配置することが好ましい。
このような構成により、ＬＥＤ８３１，８３２からの光を後方側導光板８５及び前方側導光板８７それぞれに均等に入射させることができる。
【００２９】
装飾シート８４は、装飾シート用ＬＥＤ基板８１のＬＥＤ８１１〜８１５からの光に照射されるシート部材であり、ＬＥＤ８１１〜８１から出射される光に所定の装飾効果を付与する。
装飾シート８４は、図５に示すように、複数の表示領域８４ａ〜８４ｃに区画されており、表示領域８４ａ〜８４ｃごとに異なる装飾効果を付与する。
【００３０】
例えば、表示領域８４ａ，８４ｃには、所定の画像情報（例えば、「ＣＨＡＮＣＥ」の文字）が印刷されており、ＬＥＤ８１１，８１５により照射されることにより、ＬＥＤ８１１，８１５から出射される光に当該画像情報が合成され、この画像情報が発光するように視認される。
また、表示領域８４ｂの各領域８４ｂ−Ｌ，８４ｂ−Ｍ，８４ｂ−Ｒには、半透明な乳白色が付されるなどの光を透過しながら拡散するための印刷処理が施されている。各領域８４ｂ−Ｌ，８４ｂ−Ｍ，８４ｂ−Ｒにおける印刷処理は、貫通孔８２２〜８２４それぞれの形状に対応して設けられており、ＬＥＤ８１２〜８１４により照射されることにより、当該印刷処理を有する部分が面状に発光する７セグメントを構成する各セグメントとなるように視認される。
また、装飾シート８４の導光板８５、８７側の面は、画像情報、乳白色の印刷処理が施される部分を除いて、光を前方に反射可能な印刷処理（例えば、白色の塗布など）が施されていることが好ましい。
【００３１】
また、装飾シート８４には、表示領域８４ａ〜８４ｃを区画可能な切込み部８４１ａ,８４２ａと、表示領域８４ａ〜８４ｃ間をつなぐ繋ぎ目部８４１ｂ，８４２ｂが形成され、装飾シート８４を表示領域区画部材８２に載置したときに、各切込み部８４１ａ,８４２ａの間に遮蔽部８２６ａ，８２７ａが配置されるようになっている。
そして、本実施形態では、装飾シート用ＬＥＤ基板８１、表示領域区画部材８２及び装飾シート８４の組合せからなる構造物を、所定の表示領域を有する表示器というものとする。
【００３２】
後方側導光板８５は、本発明に係る複数の導光板の一例であり、図５、図８に示すように、表示領域８４ａ〜８４ｃを覆うように表示器の前方に配置されるとともに、前後に重なることなく、平面状に並べて配置される。
例えば、後方側導光板８５は、表示領域８４ａ〜８４ｃにそれぞれ対応するように配置される三つの導光板８５ａ〜８５ｃを備えている。
各後方側導光板８５ａ〜８５ｃは、透明な樹脂板（例えば、アクリル板）により形成され、各端面８５１〜８５３から入射するＬＥＤ８３１からの光を遊技者側（前方）に導くように構成されている。例えば、前述したように装飾シート８４は光を前方に反射可能な印刷処理が施されていることから、各端面８５１〜８５３から入射され各後方側導光板８５ａ〜８５ｃ内を伝播する光は装飾シート８４に反射して各後方側導光板８５ａ〜８５ｃの表面から前方（遊技者側）に向けて出射されることになる。
【００３３】
また、後方側導光板８５ａ〜８５ｃは、所定の画像情報を出力可能に構成されている。
具体的には、各後方側導光板８５ａ〜８５ｃは、表面に所定の凹凸加工が施されており、凹凸加工部分に照射された光によって所定の画像情報が発光するように視認される。
例えば、導光板８５ａ，８５ｃは、所定の画像情報（例えば、「お着替え中」の文字）が造形加工されており、ＬＥＤ８３１により照射されることにより、当該画像情報が発光するように視認される。
また、導光板８５ｂは、所定の画像情報（例えば、「ＣＡＲＮＩＶＡＬ  ＣＨＡＮＣＥ」の文字）が造形加工されており、ＬＥＤ８３１により照射されることにより、当該画像情報が発光するように視認される。
また、ＬＥＤ８３１を構成する複数のＬＥＤはそれぞれ独立して点灯制御可能であることから、各後方側導光板８５ａ〜８５ｃそれぞれに対応するＬＥＤのみを点灯することで、該当する上記の画像情報のみが発光するように視認させることもできる。
なお、ＬＥＤ８３１が点灯しないときには、これらの画像情報は視認不能な状態となり、後方側導光板８５ａ〜８５ｃは単に透明な板として機能する。
【００３４】
また、後方側導光板８５ａ〜８５ｃの間には、図８に示すように、区画部８２６，８２７が配置される。
区画部８２６，８２７は、遮蔽部８２６ａ，８２７ａと非遮蔽部８２６ｂ，８２７ｂを備えている。
【００３５】
遮蔽部８２６ａ，８２７ａは、端面８５１〜８５３を始端部とし、ＬＥＤ８３１からの光の伝播方向に沿って延設され、後方側導光板８５ａ〜８５ｃの表面と同じ又はこれよりも高く形成された壁部（リブ）であり、非遮蔽部８２６ｂ，８２７ｂは、遮蔽部８２６ａ，８２７ａの終端部側、すなわち、一方の側部に寄った一側寄りに配置され、遮蔽部を有しない部分となっている。
このような遮蔽部８２６ａ，８２７ａにより、一の導光板に対応する光（一の導光板内を伝播する光）が隣接する他の導光板に伝播することが抑制されることになる。
例えば、遮蔽部８２６ａは、後方側導光板８５ａの端面８５１から入射する光をこれに隣接する後方側導光板８５ｂに伝播することを抑制するとともに、反対に、後方側導光板８５ｂの端面８５２から入射する光をこれに隣接する後方側導光板８５ａに伝播することを抑制する。
また、遮蔽部８２６ａ，８２７ａの光の伝播方向に沿った長さは、遮蔽部８２６ａ，８２７ａの終端部が貫通孔８２２〜８２４それぞれを構成する複数の貫通孔（７セグメント）のうち最下部に位置する貫通孔（ｄセグメント）を超える長さが好ましい。
【００３６】
一方、非遮蔽部８２６ｂ，８２７ｂは、一の導光板内を伝播する光が隣接する他の導光板に伝播することを妨げないものの、遮蔽部８２６ａ，８２７ａの終端部側に配置されていることから、一の導光板内を伝播する光が他の導光板に与える影響を最小限に抑えることができる。
また、前述した装飾シート８４は本来３枚のシートに分割されるべきものであるが、非遮蔽部８２６ｂ，８２７ｂを形成することで、これらに対応した部分に繋ぎ目部８４１ｂ，８４２ｂを設けることができる。これにより、装飾シート８４を１枚のシートとして形成することができ、取り扱いが容易となる。
また、非遮蔽部８２６ｂ，８２７ｂを設けない場合には、遮蔽部８２６ａ，８２７ａの上に装飾シート８４を載置することになり、この場合には、装飾シート８４と装飾シート用ＬＥＤ基板との距離がその分長くなるため、装飾シート８４に照射される光の強度が低下することになるが、非遮蔽部８２６ｂ，８２７ｂを設けることで、このような光の強度低下が解消される。
【００３７】
スペーサ８６は、後方側導光板８５と前方側導光板８７とにより挟持され、これらの導光板の間隔を一定に保つように機能する枠部材である。
スペーサ８６は、ＬＥＤ８３１とＬＥＤ８３２の間の距離に対応する厚みを有し、これにより、後方側導光板８５と前方側導光板８７との間の間隔を一定に保持する。また、スペーサ８６は、例えば、ＬＥＤ８３１からの光の前方側導光板８７への入射などの、一方のＬＥＤの光が対応しない他方の導光板に入射されることの防止や、光漏れを防止するために、黒色の樹脂により構成することが好ましい。
【００３８】
前方側導光板８７は、透明な樹脂板（例えば、アクリル板）により形成され、端面８７１から入射するＬＥＤ８３２からの光を遊技者側（前方）に導くように構成されている。
例えば、前述したように装飾シート８４は光を前方に反射可能な処理が施されていることから、端面８７１から入射され前方側導光板８７内を伝播する光は装飾シート８４に反射して前方側導光板８７の表面から前方（遊技者側）に向けて出射されることになる。
【００３９】
また、前方側導光板８７は、所定の画像情報を出力可能に構成されている。
具体的には、前方側導光板８７は、表面に所定の凹凸加工が施されており、凹凸加工部分に照射された光によって所定の画像情報が発光するように視認される。
例えば、所定の画像情報（例えば、女の子の絵柄）が造形加工されており、ＬＥＤ８３２により照射されることにより、当該画像情報が発光するように視認される。
なお、ＬＥＤ８３２が点灯しないときには、この画像情報は視認不能な状態となり、前方側導光板８７は単に透明な板として機能する。
【００４０】
装飾フレーム８８は、メッキ加工が施され、前方側導光板８７全面をユニット外に臨ませる窓枠部材である。
また、装飾フレーム８８は、後方カバー部材８０に取り付け可能に構成され、当該装飾フレーム８８と後方カバー部材８０との間に各部材８１〜８７，８９を挟持することにより、すべての部材８０〜８９が一体となった表示ユニット８が形成されるようになっている。
【００４１】
また、装飾フレーム８８は、図４（ｄ）に示すように、装飾部材８８１，８８２を備えている。
装飾部材８８１は、遮蔽部８２６ａの始端部を覆う上部装飾部材８８１ａと、非遮蔽部８２６ｂを覆う下部装飾部材８８１ｂから構成され、装飾部材８８２は、遮蔽部８２７ａの始端部を覆う上部装飾部材８８２ａと、非遮蔽部８２７ｂを覆う下部装飾部材８８２ｂから構成されている。
上部装飾部材８８１ａと下部装飾部材８８１ｂ、及び上部装飾部材８８２ａと下部装飾部材８８２ｂは、ＬＥＤ８３１からの光の出射方向に沿って延設された遮蔽部８２６ａ，８２７ａと直交する線を挟んで線対称な形状を有している（図８参照）。
例えば、上部装飾部材８８１ａと下部装飾部材８８１ｂは遮蔽部８２６ａと直交する線を挟んで線対称な形状を有している。これにより、表示ユニット８を正面から見たときに、非遮蔽部８２６ｂ，８２７ｂの存在を自然な形で覆い隠すことができる。
【００４２】
前方カバー部材８９は、本発明に係る収容部材の一部であり、図７（ｂ）に示すように、導光板用ＬＥＤ基板８３の前端部８３ａをユニット外に臨ませるスリット状の切欠部８９１（薄肉部）を備えている。このような構成により、後方カバー部材８０に形成された切欠部８０２とともに、以下のような効果を発揮する。
切欠部８０２，８９１を設けない場合、後方カバー部材８０及び後方カバー部材８９の肉厚分、表示ユニット８全体の奥行が厚くなるが、切欠部８０２，８９１を設けた場合では、それぞれの肉厚分だけ表示ユニット８全体の奥行が薄くなる。これにより、表示ユニット８とこれの後方に位置するリール４１等との干渉が回避される。
【００４３】
このように構成される表示ユニット８は、副制御部２０により制御されて以下のように動作する。
具体的には、再遊技役、小役、ボーナスなどの当選役を抽選により決定する内部抽選処理の結果に基づいて様々な演出を行うことができる。
例えば、リール４１の変動開始とともに、左７セグ、中７セグ及び右７セグにおいて、０〜９の図柄が変動するような表示を行い、ボーナスに当選したときには、「０００」〜「９９９」のぞろ目のうちの一つのぞろ目を表示させることもできる。また、複数のボーナスのうち遊技者に最も有利なボーナス（ビッグボーナス）に当選したときには、「７７７」を表示することもできる。
【００４４】
また、複数通りある停止ボタン５の操作順序のうち特定の操作順序により停止ボタン５が操作されたときに再遊技や小役に入賞する場合において、その操作順序を７セグにより表示することもできる。
例えば、左停止ボタン５ａ、中停止ボタン５ｂ、右停止ボタン５ｃの順に停止ボタン５を操作することにより所定の小役に入賞する場合には、左７セグ、中７セグ及び右７セグにおいて、「１２３」の数字を表示させることもできる。
このような左７セグ、中７セグ及び右７セグを点灯制御するときに、導光板用ＬＥＤ基板８３に実装されたＬＥＤ８３１，８３２を点灯させるときには時間をずらして点灯させるか、点灯させない方が好ましい。
なお、後方側導光板８５ａ，８５ｃに対応するＬＥＤ８３１に関しては、表示領域が異なることから、７セグ点灯制御時に点灯させることもできる。
【００４５】
また、所定の遊技タイミングにおいては、装飾シート用ＬＥＤ基板８１に実装されたＬＥＤ８１１〜８１５を消灯させ、導光板用ＬＥＤ基板８３に実装されたＬＥＤ８３１，８３２のいずれか一方を点灯又は時間をずらして交互に点灯させることもできる。これにより、後方方側導光板８５と前方側導光板８７に施された画像情報を表示させることができる。特に、後方方側導光板８５は、それぞれ画像情報の異なる複数の導光板８５ａ〜８５ｃにより構成されており、これらに対応するＬＥＤ８３１を独立して点灯させることで、それぞれの画像情報を独立して視認可能に発光させることができる。
【００４６】
以上説明したように、本実施形態のスロットマシン１は、複数の導光板８５ａ〜８５ｃが表示領域８４ａ〜８４ｃを覆うように表示器の前方に配置されるとともに、前後に重なることなく、平面状に並べて配置されるので、同じ表示領域において、表示器から出力される画像情報と導光板８５ａ〜８５ｃから出力される画像情報の双方を視認することができ、特に、複数の導光板８５ａ〜８５ｃからは、それぞれ異なる画像情報を出力することができるので、遊技演出の幅を広げることができる。
【００４７】
一方、従来のスロットマシンでは、端面から入射されるＬＥＤの光を前方に導く複数の導光板をリールの前方に設けているものの、それぞれ異なる画像情報を出力するように構成されておらず、興趣に欠けていた。
本実施形態のスロットマシン１によれば、従来のスロットマシンが改善すべきこのような課題の全部又は一部などを解決することができる。
【００４８】
以上、本発明の遊技機の好ましい実施形態について説明したが、本発明に係る遊技機は上述した実施形態にのみ限定されるものではなく、本発明の範囲で種々の変更実施が可能であることはいうまでもない。
【００４９】
例えば、後方側導光板８５と前方側導光板８７を同時に発光させることで、一の画像情報を表示させることもできる。
具体的には、例えば、後方側導光板８５の左側に男の子の画像情報を造形加工し、前方側導光板８７の右側に女の子の画像情報を造形加工し、これらの導光板８５，８７に同時に光を入射させると、左側に男の子、右側に女の子の配置される画像情報を表示させることもできる。
【００５０】
また、後方側導光板８５又は前方側導光板８７に、左７セグ、中７セグ及び右７セグの各７セグを構成するうちの一部のセグメントの機能を持たせることもできる。
すなわち、後方側導光板８５又は前方側導光板８７において、７セグに対応する領域に１又は２以上のセグメントに対応する造形加工を施すことにより、装飾シート用ＬＥＤ基板８１に実装されたＬＥＤ８１２〜８１３の一部の発光と、導光板用ＬＥＤ基板８３に実装されたＬＥＤ８３１，８３２の発光とにより、一つの数字を表示させることもできる。
このとき、ＬＥＤ８１２〜８１３とＬＥＤ８３１，８３２とで発光色を変えることもできる。
【００５１】
これをさらに発展させ、後方及び前方の導光板を、例えば、７枚設けるとともに、それぞれの導光板に７セグメントを構成するセグメントを一つずつ造形加工により形成し、これらを前後に重ねるように配置することにより、７枚の導光板からなる７セグ表示装置を作製することができる。
また、７セグのドット「．」を、装飾シート８４に印刷するとともに、これに対応するＬＥＤを装飾シート用ＬＥＤ基板８１に設けることで、ＬＥＤの点灯時にドット「．」を表示させることもできる。
【００５２】
また、本実施形態では、本発明をスロットマシンに適用したがパチンコ（例えば、玉スロ）などその他の遊技機に適用することもできる。
また、メダル、遊技球等の現物の遊技媒体を用いることなく、データ形式の擬似遊技媒体を用いてゲームを実行可能な、いわゆる封入式遊技機にも、本発明を適用することができる。
【００５３】
また、本実施形態では、装飾シート用ＬＥＤ基板８１、表示領域区画部材８２及び装飾シート８４の組合せからなる構造物を、表示器としたが、液晶ＴＶやリール４１を表示器とすることもできる。
【００５４】
また、後方側導光板８５を３つの導光板８５ａ〜８５ｃにより構成したが、１つの導光板により構成することもできる。この場合の後方側導光板８５は、装飾シート８４と同様な形状を備えることが好ましい。すなわち、各導光板８５ａ〜８５ｃが切込み部（８４１ａ，８４２ａ）によって区分けされながらも、繋ぎ目部（８４１ｂ，８４２ｂ）によりつながれた１枚の導光板として構成することができる。
この場合の後方側導光板８５は、一枚の板状部材からなり、線状に繋がる切込み又は切欠きによりそれぞれ区分けされた複数の導光領域（８５ａ〜８５ｃ）を有し、表示器の表示領域（８４ａ〜８４ｃ）の少なくとも一部を覆うように表示器の前方に配置されるという特徴を備えることになる。
【符号の説明】
【００５５】
１  スロットマシン
３  スタートレバー
５  停止ボタン
８  表示ユニット
８１  装飾シート用ＬＥＤ基板（表示器）
８２  表示領域区画部材（表示器）
８３  導光板用ＬＥＤ基板
８４  装飾シート（表示器）
８５  （８５ａ〜８５ｃ）後方側導光板（複数の導光板）
１０  主制御部
２０  副制御部
４１  リール
【図１】
0006606789.tif 000002
【図２】
0006606789.tif 000003
【図３】
0006606789.tif 000004
【図４】
0006606789.tif 000005
【図５】
0006606789.tif 000006
【図６】
0006606789.tif 000007
【図７】
0006606789.tif 000008
【図８】
0006606789.tif 000009